(57)【要約】  基地局を含むネットワークと拡張的な間欠受信（ｅＤＲＸ）を行う無線通信装置であって、ＴＡＵ  Ｒｅｑｕｅｓｔを送信し、ＴＡＵ  Ｒｅｑｕｅｓｔの送信処理を行い、ＴＡＵ  Ｒｅｑｕｅｓｔの送信後のデータ受信の確率が低いとき、ＴＡＵ  Ｒｅｑｕｅｓｔに含まれるｅＤＲＸ期間を第１の期間に設定してからＴＡＵ  Ｒｅｑｕｅｓｔを送信し、ＴＡＵ  Ｒｅｑｕｅｓｔの送信後のデータ受信の確率が高いとき、ＴＡＵ  Ｒｅｑｕｅｓｔに含まれるｅＤＲＸ期間を第２の期間に設定してからＴＡＵ  Ｒｅｑｕｅｓｔを送信し、第２の期間は第１の期間よりも長い構成を備えて構成する。
2019194252.tif 000002
【特許請求の範囲】
【請求項１】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行う無線通信装置であって、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有し、前記制御部は、
前記ＴＡＵ  Ｒｅｑｕｅｓｔの送信後のデータ受信の確率が低いとき、ＴＡＵ  Ｒｅｑｕｅｓｔに含まれるｅＤＲＸ期間を第１の期間に設定してからＴＡＵ  Ｒｅｑｕｅｓｔを送信し、
前記ＴＡＵ  Ｒｅｑｕｅｓｔの送信後のデータ受信の確率が高いとき、ＴＡＵ  Ｒｅｑｕｅｓｔに含まれるｅＤＲＸ期間を第２の期間に設定してからＴＡＵ  Ｒｅｑｕｅｓｔを送信し、
前記第２の期間は前記第１の期間よりも長い無線通信装置。
【請求項２】
前記制御部は、前記ＴＡＵ  Ｒｅｑｕｅｓｔに含まれるｅＤＲＸ期間を第２の期間に設定してからＴＡＵ  Ｒｅｑｕｅｓｔを送信し、
前記ＴＡＵ  Ｒｅｑｕｅｓｔの送信後、データ受信がない場合、ＴＡＵ  Ｒｅｑｕｅｓｔに含まれるｅＤＲＸ期間を第１の期間に設定してからＴＡＵ  Ｒｅｑｕｅｓｔの送信する請求項１に記載の無線通信装置。
【請求項３】
前記制御部は、前記ＴＡＵ  Ｒｅｑｕｅｓｔの送信後、所定時間待ち合わせてデータ受信がない場合、前記ＴＡＵ  Ｒｅｑｕｅｓｔに含まれるｅＤＲＸ期間を第１の期間に設定してからＴＡＵ  Ｒｅｑｕｅｓｔを送信する請求項２に記載の無線通信装置。
【請求項４】
前記制御部は、前記ＴＡＵ  Ｒｅｑｕｅｓｔに含まれるｅＤＲＸ期間を第１の期間に設定してからＴＡＵ  Ｒｅｑｕｅｓｔを送信し、
前記ＴＡＵ  Ｒｅｑｕｅｓｔの送信後、データ受信がある場合、前記ＴＡＵ  Ｒｅｑｕｅｓｔに含まれるｅＤＲＸ期間を第２の期間に設定してからＴＡＵ  Ｒｅｑｕｅｓｔの送信する請求項１に記載の無線通信装置。
【請求項５】
前記第２の期間は、前記ＴＡＵ  Ｒｅｑｕｅｓｔの送信時点で送信データがなく受信データがあった場合の、ｅＤＲＸ開始からＰａｇｉｎｇを受けた時間の中でのＭａｘ値である請求項１に記載の無線通信装置。
【請求項６】
前記第１の期間は、前記ＴＡＵ  Ｒｅｑｕｅｓｔの送信時点で送信データも受信データもなかった場合の、ｅＤＲＸ開始からＰａｇｉｎｇを受けた時間の平均値である請求項１に記載の無線通信装置。
【請求項７】
前記所定時間は、前記ＴＡＵ  Ｒｅｑｕｅｓｔの送信終了からデータ受信するまでの平均値に関する値である請求項１に記載の無線通信装置。
【請求項８】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行い、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有する無線通信装置の制御方法であって、
前記ＴＡＵ  Ｒｅｑｕｅｓｔの送信後のデータ受信の確率が低いとき、ＴＡＵ  Ｒｅｑｕｅｓｔに含まれるｅＤＲＸ期間を第１の期間に設定してからＴＡＵ  Ｒｅｑｕｅｓｔを送信するステップと、
前記ＴＡＵ  Ｒｅｑｕｅｓｔの送信後のデータ受信の確率が高いとき、ＴＡＵ  Ｒｅｑｕｅｓｔに含まれるｅＤＲＸ期間を第２の期間に設定してからＴＡＵ  Ｒｅｑｕｅｓｔを送信するステップと、
前記第２の期間は前記第１の期間よりも長い無線通信装置の制御方法。
【請求項９】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行う無線通信装置であって、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有し、前記制御部は、
所定の状況の場合、ＴＡＵ  Ｒｅｑｕｅｓｔに含まれるｅＤＲＸ期間を第１の期間に設定してからＴＡＵ  Ｒｅｑｕｅｓｔの送信し、
所定の状況でない場合、ＴＡＵ  Ｒｅｑｕｅｓｔに含まれるｅＤＲＸ期間を第２の期間に設定してからＴＡＵ  Ｒｅｑｕｅｓｔの送信し、
前記第２の期間は前記第１の期間よりも長い無線通信装置。
【請求項１０】
前記所定の状況は、前記ＴＡＵ  Ｒｅｑｕｅｓｔの送信を行った後、データを受信する確率Ｐｒｃｖが低いサービスである請求項９に記載の無線通信装置。
【請求項１１】
前記所定の状況は、前記ＴＡＵ  Ｒｅｑｕｅｓｔの送信を行った後、データを受信しないと想定されるサービスである請求項９に記載の無線通信装置。
【発明の詳細な説明】
【技術分野】
【０００１】
本発明は、無線通信装置及びその制御方法に関する。
【背景技術】
【０００２】
ＩｏＴ（Ｉｎｔｅｒｎｅｔ  ｏｆ  Ｔｈｉｎｇｓ）の普及に伴い、低消費電力かつ低コストの無線通信装置の需要が高まっている。このような需要に応えるために、消費電力を抑えつつ遠距離通信を実現する無線通信の方式であるＬＰＷＡ（Ｌｏｗ  Ｐｏｗｅｒ  Ｗｉｄｅ  Ａｒｅａ）が注目されている。ＬＰＷＡ方式の無線通信を行う無線通信装置は、データ通信が発生しない期間において無線通信を停止することによって省電力化を実現している。このような省電力技術としては、３ＧＰＰ（３ｒｄ  Ｇｅｎｅｒａｔｉｏｎ  Ｐａｒｔｎｅｒｓｈｉｐ  Ｐｒｏｊｅｃｔ）規格において規定されたＰＳＭ（Ｐｏｗｅｒ  Ｓａｖｉｎｇ  Ｍｏｄｅ）やｅＤＲＸ（ｅｘｔｅｎｄｅｄ  Ｄｉｓｃｏｎｔｉｎｕｏｕｓ  Ｒｅｃｅｐｔｉｏｎ）等が知られている（例えば、非特許文献１参照）。【０００３】
ｅＤＲＸにおいて、無線通信装置ＵＥ（Ｕｓｅｒ  Ｅｑｕｉｐｍｅｎｔ）のＴＡＵ（Ｔｒａｃｋｉｎｇ  Ａｒｅａ  Ｕｐｄａｔｅ）Ｒｅｑｕｅｓｔの送信処理は、一定時間経過後に行われる。ＴＡＵ  Ｒｅｑｕｅｓｔまたは上りデータ通信の送信が終了したあと、任意のタイミングでＲＲＣ  Ｃｏｎｎｅｃｔｉｏｎ  Ｒｅｌｅａｓｅが無線通信装置ＵＥに送信される。【０００４】
無線通信装置ＵＥは、ＲＲＣ  Ｃｏｎｎｅｃｔｉｏｎ  Ｒｅｌｅａｓｅを受信したとき、ｅＤＲＸ状態（アイドル状態）となり、Ｐａｇｉｎｇを受信するために待機する。その後、なにも受信しない場合には、無線通信装置ＵＥは、ＰＳＭ（Ｐｏｗｅｒ  Ｓａｖｉｎｇ  Ｍｏｄｅ）状態（Ｐａｇｉｎｇも受信しない、かつ、ほぼ電池を消費しない状態）となる。【０００５】
ｅＤＲＸ状態（アイドル状態）の期間は一定としている。なお、無線通信装置ＵＥは、アイドル状態の期間をＴＡＵ  Ｒｅｑｕｅｓｔを介してネットワーク側に通知する。
【先行技術文献】
【非特許文献】
【０００６】
【非特許文献１】３ＧＰＰ技術仕様書「３ＧＰＰ  ＴＳ  ２３．４０１  Ｖ１５．１．０」  ２０１７年９月
【発明の概要】
【０００７】
一実施携帯に係る無線通信装置は、基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行う無線通信装置である。前記無線通信装置は、ＴＡＵ（Ｔｒａｃｋｉｎｇ  Ａｒｅａ  Ｕｐｄａｔｅ）Ｒｅｑｕｅｓｔを送信する通信部と、前記ＴＡＵ  Ｒｅｑｕｅｓｔの送信処理を行う制御部とを有する。前記制御部は、前記ＴＡＵ  Ｒｅｑｕｅｓｔの送信後のデータ受信の確率が低いとき、ＴＡＵ  Ｒｅｑｕｅｓｔに含まれるｅＤＲＸ期間を第１の期間（Ｔｍｉｎ）に設定してからＴＡＵ  Ｒｅｑｕｅｓｔを送信し、前記ＴＡＵ  Ｒｅｑｕｅｓｔの送信後のデータ受信の確率が高いとき、ＴＡＵ  Ｒｅｑｕｅｓｔに含まれるｅＤＲＸ期間を第２の期間（Ｔｍａｘ）に設定してからＴＡＵ  Ｒｅｑｕｅｓｔを送信する。前記第２の期間（Ｔｍａｘ）は前記第１の期間（Ｔｍｉｎ）よりも長い。
【図面の簡単な説明】
【０００８】
【図１】本実施の形態に係る無線通信システムの構成図である。
【図２】ｅＤＲＸ及びＰＳＭについて説明するための図である。
【図３】本実施形態に係るＬＰＷＡ通信装置の構成を示す図である。
【図４】ＴＡＵ  Ｒｅｑｕｅｓｔの送信処理のフローチャートである。
【図５】ＴＡＵ  Ｒｅｑｕｅｓｔの送信処理の他の動作を示すフローチャートである。
【発明を実施するための形態】
【０００９】
本開示は、ＬＰＷＡ方式の無線通信において、拡張的な間欠受信（ｅＤＲＸ）の状態をもつ無線通信装置において電力消費を効率化できる無線通信装置及びその制御方法を提供するものである。
【００１０】
以下、本実施の形態について、図面を参照して説明する。
【００１１】
図面を参照して、本発明の実施形態を説明する。図面の記載において、同一又は類似の部分には同一又は類似の符号を付している。
【００１２】
（通信システムの構成）
図１は、本実施形態に係る無線通信システム１の構成を示す図である。
【００１３】
図１に示すように、無線通信システム１は、ＬＰＷＡ通信装置（無線通信装置）１００と、ホスト機器２００と、無線通信ネットワーク３００と、サーバ４００とを備える。
【００１４】
ＬＰＷＡ通信装置１００は、ＬＰＷＡ方式の無線通信を無線通信ネットワーク３００と行う。ＬＰＷＡ方式は、消費電力を抑えつつ遠距離通信を実現する無線通信の方式である。実施形態において、ＬＰＷＡ方式として、セルラ通信規格の一つである３ＧＰＰ規格において規定されたｅＭＴＣ（ｅｎｈａｎｃｅｄ  Ｍａｃｈｉｎｅ  Ｔｙｐｅ  Ｃｏｍｍｕｎｉｃａｔｉｏｎｓ）方式又はＮＢ（Ｎａｒｒｏｗ  Ｂａｎｄ）−ＩｏＴ方式を用いる。ｅＭＴＣは、ＬＴＥカテゴリＭ１と称されることがある。ＮＢ−ＩｏＴは、ＬＴＥカテゴリＮＢ１と称されることがある。
【００１５】
ｅＭＴＣ方式又はＮＢ−ＩｏＴ方式は、通信装置の低コスト化を図るために、無線通信に利用する周波数帯域幅を狭い帯域幅に限定することによってハードウェアを単純化している。なお、ＮＢ−ＩｏＴ方式の無線通信に利用可能な周波数帯域幅は、ｅＭＴＣ方式の無線通信に利用可能な周波数帯域幅よりも狭い。
【００１６】
また、ＬＰＷＡ通信装置１００は、データ通信が発生しない期間において無線通信を停止することによって省電力化を実現している。このような省電力技術としては、３ＧＰＰ規格において規定されたｅＤＲＸ及びＰＳＭがある。
【００１７】
図２は、ｅＤＲＸ及びＰＳＭについて説明するための図である。ｅＤＲＸにおいて、ＬＰＷＡ通信装置１００のＴＡＵ（Ｔｒａｃｋｉｎｇ  Ａｒｅａ  Ｕｐｄａｔｅ）Ｒｅｑｕｅｓｔの送信処理は、一定時間経過後に行われる。任意のタイミングでＲＲＣ  Ｃｏｎｎｅｃｔｉｏｎ  ＲｅｌｅａｓｅがＬＰＷＡ通信装置１００に送信される。
【００１８】
ＬＰＷＡ通信装置１００は、ＲＲＣ  Ｃｏｎｎｅｃｔｉｏｎ  Ｒｅｌｅａｓｅを受信したとき、ｅＤＲＸ状態（アイドル状態）となる。アイドル状態にあるＬＰＷＡ通信装置１００は、ｅＤＲＸサイクル毎に間欠受信を行い、無線通信ネットワーク３００からの呼び出しであるページングに気付くことができる。
【００１９】
その後、ＰＳＭを伴う場合では、データ通信が発生しない期間が継続する場合、ＬＰＷＡ通信装置１００は、ＰＳＭ状態となる。ＰＳＭ状態（省電力状態）は、ＬＰＷＡ通信装置１００を、間欠受信すら行わない擬似的な電源オフ状態にすることによって、省電力化を実現するものである。ＰＳＭ状態にあるＬＰＷＡ通信装置１００は、無線通信ネットワーク３００からのページングに気付くことができない。
【００２０】
ＬＰＷＡ通信装置１００は、ホスト機器２００に接続される。具体的には、ＬＰＷＡ通信装置１００は、ホスト機器２００に直接接続されるか、又はケーブルを介して間接的にホスト機器２００に接続される。ＬＰＷＡ通信装置１００は、例えば、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）方式又はＵＳＢ（Ｕｎｉｖｅｒｓａｌ  Ｓｅｒｉａｌ  Ｂｕｓ）方式の有線通信をホスト機器２００と行う。
【００２１】
ホスト機器２００は、ＰＣ（Ｐｅｒｓｏｎａｌ  Ｃｏｍｐｕｔｅｒ）、センサ機器、メータ機器、又は自動販売機等である。ホスト機器２００は、ＩｏＴ向けのアプリケーションを実行する。ＬＰＷＡ通信装置１００が接続されたホスト機器２００は、自身が無線通信の機能を有していなくても、ＬＰＷＡ通信装置１００を介して無線通信ネットワーク３００との通信を行うことができる。
【００２２】
無線通信ネットワーク３００は、通信事業者によって管理されるネットワークである。実施形態において、無線通信ネットワーク３００は３ＧＰＰ規格に準拠した構成を有する。無線通信ネットワーク３００は、基地局３１０と、ＭＭＥ（Ｍｏｂｉｌｉｔｙ  Ｍａｎａｇｅｍｅｎｔ  Ｅｎｔｉｔｙ）３２０と、ＧＷ（Ｇａｔｅｗａｙ）３３０とを有する。
【００２３】
基地局３１０は、ＬＰＷＡ方式の無線通信をＬＰＷＡ通信装置１００と行う。基地局３１０は、ＭＭＥ３２０及びＧＷ３３０と接続される。
【００２４】
ＭＭＥ３２０は、基地局３１０を介してＮＡＳ（Ｎｏｎ−Ａｃｃｅｓｓ  Ｓｔｒａｔｕｍ）シグナリングを用いてＬＰＷＡ通信装置１００と通信することにより、ＬＰＷＡ通信装置１００が位置するトラッキングエリア（すなわち、ページングを行うエリア単位）等を管理する。また、ＭＭＥ３２０は、ＬＰＷＡ通信装置１００が省電力状態にあるか否かを把握している。
【００２５】
ＧＷ３３０は、ＰＤＮ−ＧＷ（Ｐａｃｋｅｔ  Ｄａｔａ  Ｎｅｔｗｏｒｋ  Ｇａｔｅｗａｙ）と、Ｓ−ＧＷ（Ｓｅｒｖｉｎｇ  Ｇａｔｅｗａｙ）とを含む。ＰＤＮ−ＧＷは、無線通信ネットワーク３００と外部ネットワーク（例えば、インターネット）との間のインターフェイスとして機能する。Ｓ−ＧＷは、ＰＤＮ−ＧＷと基地局３１０との間でデータの転送制御を行う。
【００２６】
サーバ４００は、外部ネットワーク（例えば、インターネット）に接続される。サーバ４００は、ホスト機器２００の通信先である。サーバ４００は、ホスト機器２００が実行するアプリケーション向けのデータを生成し、無線通信ネットワーク３００及びＬＰＷＡ通信装置１００を介してデータをホスト機器２００に転送する。
【００２７】
（ＬＰＷＡ通信装置の構成）
図３は、本実施形態に係るＬＰＷＡ通信装置１００の構成を示す図である。
【００２８】
図３に示すように、ＬＰＷＡ通信装置１００は、アンテナ１１０、フロントエンド部１２０、プロセッサ１３０、メモリ１４０、及び電源管理部１５０を有する。ＬＰＷＡ通信装置１００には、図示を省略するインターフェイスを介して、ホスト機器２００、ＵＩＭ／ＳＩＭ１６０、及びセンサ１７０を接続可能である。ＵＩＭ／ＳＩＭ１６０は、無線通信ネットワーク３００との無線通信を行うために必要な加入者情報等を記憶する。センサ１７０は、温度、湿度、気圧、照度、加速度、地磁気等を測定し、測定値を出力する。ＬＰＷＡ通信装置１００は、ＧＰＳ受信機をさらに有してもよい。
【００２９】
アンテナ１１０は、無線信号の送受信に用いられる。フロントエンド部１２０は、アンテナ１１０が受信した無線信号に対して増幅処理及びフィルタ処理等を行い、無線信号をベースバンド信号に変換してプロセッサ１３０に出力する。また、フロントエンド部１２０は、プロセッサ１３０から入力されたベースバンド信号を無線信号に変換し、増幅処理等を行ってアンテナ１１０に出力する。
【００３０】
プロセッサ１３０は、ＬＰＷＡ通信装置１００における各種の処理及び制御を行う。メモリ１４０は、揮発性メモリ及び不揮発性メモリを含み、プロセッサ１３０により実行されるプログラム、及びプロセッサ１３０による処理に用いられる情報を記憶する。電源管理部１５０は、バッテリ及びその周辺回路を含む。電源管理部１５０は、ＬＰＷＡ通信装置１００の駆動電力を供給する。なお、ＬＰＷＡ通信装置１００がホスト機器２００とＵＳＢにより接続される場合、駆動電力がホスト機器２００からＵＳＢ給電により供給されてもよい。
【００３１】
実施形態において、プロセッサ１３０は、無線通信部１３１及び転送制御部１３２を有する。メモリ１４０は、バッファ１４１を有する。無線通信部１３１は、ＬＰＷＡ方式によって無線通信ネットワーク３００との無線通信を行う。転送制御部１３２は、無線通信部１３１が受信したデータをホスト機器２００に転送する。
【００３２】
フロントエンド部１２０及び無線通信部１３１は、上述した省電力状態に移行してもよい。省電力状態時において、フロントエンド部１２０等に対する給電を停止することも可能であるため、ＬＰＷＡ通信装置１００の省電力化を実現することができる。
【００３３】
フロントエンド部１２０及び無線通信部１３１は、省電力状態に移行してから所定時間経過後に無線通信を再開する。所定時間は、ＰＳＭ用のタイマ値により定められてもよい。ｅＤＲＸサイクル及びＰＳＭ用などのタイマ値は、ＬＰＷＡ通信装置１００及びＭＭＥ３２０で共有される情報である。
【００３４】
転送制御部１３２は、無線通信部１３１が無線通信する際に、ホスト機器２００との間でデータ転送を行うように構成されている。転送制御部１３２は、データ転送が不可である場合に、ホスト機器２００へのデータ転送が可能になるまで、無線通信部１３１が受信したデータをバッファ１４１に保持させてもよい。そして、転送制御部１３２は、ホスト機器２００へのデータ転送が可能になると、バッファ１４１に保持されたデータをホスト機器２００に転送する。
【００３５】
（通信システムの動作の一例）
図４は、ＴＡＵ  Ｒｅｑｕｅｓｔの送信処理のフローチャートである。本送信処理は、プロセッサ１３０などによって実行される。
【００３６】
ＬＰＷＡ通信装置１００は、ＴＡＵ  Ｒｅｑｕｅｓｔの送信処理を行う際、送信データがあるか否かを確認する（Ｓ１）。送信データがある場合（Ｓ１のＹＥＳ）、ＬＰＷＡ通信装置１００は、ＴＡＵ  Ｒｅｑｕｅｓｔに含まれるｅＤＲＸ期間を任意に設定してからＴＡＵ  Ｒｅｑｕｅｓｔの送信する（Ｓ２）。なお、Ｓ１は実行されず、Ｓ３から実行されてもよい。
【００３７】
送信データがない場合（Ｓ１のＮＯ）、ＬＰＷＡ通信装置１００は、これからデータを受信する確率Ｐｒｃｖが低いか否か（確率Ｐｒｃｖが低いとされる閾値を下回るのか）を判定する（Ｓ３）。確率Ｐｒｃｖは、ＴＡＵ  Ｒｅｑｕｅｓｔの送信時点で送信データが無かった場合に、ＴＡＵ  Ｒｅｑｕｅｓｔの送信直後のデータの受信状況を、過去に任意の回数分の記録しており、この記録より求められたものである。
【００３８】
確率Ｐｒｃｖが低い場合（Ｓ３のＹＥＳ）、ＬＰＷＡ通信装置１００は、ＴＡＵ  Ｒｅｑｕｅｓｔに含まれるｅＤＲＸ期間をＴｍｉｎに設定してからＴＡＵ  Ｒｅｑｕｅｓｔの送信する（Ｓ４）。Ｔｍｉｎは、ＴＡＵ  Ｒｅｑｕｅｓｔの送信時点で送信データも受信データもなかった場合の、ｅＤＲＸ開始からＰａｇｉｎｇを受けた時間の平均値である。
【００３９】
その後、データ受信があれば（Ｓ５のＹＥＳ）、ＬＰＷＡ通信装置１００は、ＴＡＵ  Ｒｅｑｕｅｓｔに含まれるｅＤＲＸ期間をＴｍａｘに設定してからＴＡＵ  Ｒｅｑｕｅｓｔの送信する（Ｓ６）。Ｔｍａｘは、ＴＡＵ  Ｒｅｑｕｅｓｔの送信時点で送信データがなく受信データがあった場合の、ｅＤＲＸ開始からＰａｇｉｎｇを受けた時間の中でのＭａｘ値である。なお、ＴｍａｘはＴｍｉｎよりも長い。
【００４０】
その後、データ受信がなければ（Ｓ５のＮＯ）、ＬＰＷＡ通信装置１００は、ＰＳＭ状態に移行する（Ｓ７）。
【００４１】
確率Ｐｒｃｖが低いものではない場合（Ｓ３のＮＯ）、ＬＰＷＡ通信装置１００は、ＴＡＵ  Ｒｅｑｕｅｓｔに含まれるｅＤＲＸ期間をＴｍａｘに設定してからＴＡＵ  Ｒｅｑｕｅｓｔの送信する（Ｓ８）。
【００４２】
次に、ＬＰＷＡ通信装置１００は、Ｔｗａｉｔ時間、待ち合わせる（Ｓ９）。Ｔｗａｉｔは、ＴＡＵ  Ｒｅｑｕｅｓｔの送信終了（シグナリング終了）からデータ受信するまでの平均値、または、この平均値に所定値αを加えたものである。なお、Ｔｗａｉｔは一定でもよい。
【００４３】
その後、データ受信があれば（Ｓ１０のＹＥＳ）、ＬＰＷＡ通信装置１００は、ＴＡＵ  Ｒｅｑｕｅｓｔの送信は行わない（Ｓ１１）。データ受信がなければ（Ｓ１０のＮＯ）、ＬＰＷＡ通信装置１００は、ＴＡＵ  Ｒｅｑｕｅｓｔに含まれるｅＤＲＸ期間をＴｍｉｎに設定してからＴＡＵ  Ｒｅｑｕｅｓｔの送信する（Ｓ１２）。
【００４４】
従来のＬＰＷＡ方式の無線通信においては、ｅＤＲＸ状態の期間は一定としており、ＴＡＵ  Ｒｅｑｕｅｓｔの送信処理は、一定時間経過後に行われるが、データ通信の発生が無い場合のｅＤＲＸ状態の期間では、Ｐａｇｉｎｇ受信の可能性がＰＳＭになっている時と同程度に低いケースも想定される。このため、ｅＤＲＸのための電力消費が無駄となりやすい。
【００４５】
以上説明したように、本実施形態に係るＬＰＷＡ通信装置１００は、ＴＡＵ  Ｒｅｑｕｅｓｔの送信する際に、送信するデータの有無や受信データの状況に応じてｅＤＲＸ状態の期間を変更するため、拡張的な間欠受信状態をもつ場合に電力消費を効率化できる。
【００４６】
また、ＬＰＷＡ通信装置１００は、ＴＡＵ  Ｒｅｑｕｅｓｔの送信する際に、ＴＡＵ  Ｒｅｑｕｅｓｔの送信する際に、データを受信する確率Ｐｒｃｖが低いものではない場合、Ｔｗａｉｔ時間、待ち合わせるため、データ受信の可能性を高めてデータ受信の有無に応じたｅＤＲＸ状態の期間を変更することができる。
【００４７】
図５は、ＴＡＵ  Ｒｅｑｕｅｓｔの送信処理の他の動作を示すフローチャートである。本送信処理は、プロセッサ１３０などによって実行される。
【００４８】
図４のフローチャートと図５のフローチャートの相違は、Ｓ３とＳ２３である。Ｓ２３では、所定の状況に応じてＳ４またはＳ８に進む。所定の状況は、例えば、ＴＡＵ  Ｒｅｑｕｅｓｔの送信を行った後、データを受信する確率Ｐｒｃｖが低いサービスまたはデータを受信しないと想定されるサービスでＬＰＷＡ通信装置１００が駆動されている状況である。このような場合、ＬＰＷＡ通信装置１００には、そのようなサービスのモードに設定されてもよい。また、特定の時間帯に対応してそのようなサービスのモードがＬＰＷＡ通信装置１００に設定されてもよい。
【００４９】
上述のように、サービスのモードを設けるとしたが、他のモードを設けてもよい。他のモードには、図４で説明したように確率Ｐｒｃｖを用いたモードがあってもよい。モードは、複数以上存在してもよい。
【００５０】
以上、図面を参照して実施形態について詳しく説明したが、具体的な構成は上述のものに限られることはなく、要旨を逸脱しない範囲内において様々な設計変更等をすることが可能である。
【００５１】
なお、本願は日本国特許出願第２０１８−７３５８６号（２０１８年４月６日出願）の優先権を主張し、その内容の全てが本願明細書に組み込まれている。
【図１】
2019194252.tif 000003
【図２】
2019194252.tif 000004
【図３】
2019194252.tif 000005
【図４】
2019194252.tif 000006
【図５】
2019194252.tif 000007
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行う無線通信装置であって、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有し、前記制御部は、
前記ＴＡＵ  Ｒｅｑｕｅｓｔの送信の際に送信データがないときであって、
前記ＴＡＵ  Ｒｅｑｕｅｓｔの送信後のデータ受信の確率が閾値より低いとき、ＴＡＵ  Ｒｅｑｕｅｓｔに含まれるｅＤＲＸ期間を第１の期間に設定してからＴＡＵ  Ｒｅｑｕｅｓｔを送信し、
前記ＴＡＵ  Ｒｅｑｕｅｓｔの送信後のデータ受信の確率が前記閾値より高いとき、ＴＡＵ  Ｒｅｑｕｅｓｔに含まれるｅＤＲＸ期間を第２の期間に設定してからＴＡＵ  Ｒｅｑｕｅｓｔを送信し、
前記第２の期間は前記第１の期間よりも長い無線通信装置。
【請求項２】
前記制御部は、前記ＴＡＵ  Ｒｅｑｕｅｓｔに含まれるｅＤＲＸ期間を第２の期間に設定してからＴＡＵ  Ｒｅｑｕｅｓｔを送信し、
前記ＴＡＵ  Ｒｅｑｕｅｓｔの送信後、データ受信がない場合、ＴＡＵ  Ｒｅｑｕｅｓｔに含まれるｅＤＲＸ期間を第１の期間に設定してからＴＡＵ  Ｒｅｑｕｅｓｔの送信する請求項１に記載の無線通信装置。
【請求項３】
前記制御部は、前記ＴＡＵ  Ｒｅｑｕｅｓｔの送信後、所定時間待ち合わせてデータ受信がない場合、前記ＴＡＵ  Ｒｅｑｕｅｓｔに含まれるｅＤＲＸ期間を第１の期間に設定してからＴＡＵ  Ｒｅｑｕｅｓｔを送信する請求項２に記載の無線通信装置。
【請求項４】
前記制御部は、前記ＴＡＵ  Ｒｅｑｕｅｓｔに含まれるｅＤＲＸ期間を第１の期間に設定してからＴＡＵ  Ｒｅｑｕｅｓｔを送信し、
前記ＴＡＵ  Ｒｅｑｕｅｓｔの送信後、データ受信がある場合、前記ＴＡＵ  Ｒｅｑｕｅｓｔに含まれるｅＤＲＸ期間を第２の期間に設定してからＴＡＵ  Ｒｅｑｕｅｓｔの送信する請求項１に記載の無線通信装置。
【請求項５】
前記第２の期間は、前記ＴＡＵ  Ｒｅｑｕｅｓｔの送信時点で送信データがなく受信データがあった場合の、ｅＤＲＸ開始からＰａｇｉｎｇを受けた時間の中でのＭａｘ値である請求項１に記載の無線通信装置。
【請求項６】
前記第１の期間は、前記ＴＡＵ  Ｒｅｑｕｅｓｔの送信時点で送信データも受信データもなかった場合の、ｅＤＲＸ開始からＰａｇｉｎｇを受けた時間の平均値である請求項１に記載の無線通信装置。
【請求項７】
前記所定時間は、前記ＴＡＵ  Ｒｅｑｕｅｓｔの送信終了からデータ受信するまでの平均値に関する値である請求項１に記載の無線通信装置。
【請求項８】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行い、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有する無線通信装置の制御方法であって、
前記ＴＡＵ  Ｒｅｑｕｅｓｔの送信の際に送信データがないときであって、
前記ＴＡＵ  Ｒｅｑｕｅｓｔの送信後のデータ受信の確率が閾値より低いとき、ＴＡＵ  Ｒｅｑｕｅｓｔに含まれるｅＤＲＸ期間を第１の期間に設定してからＴＡＵ  Ｒｅｑｕｅｓｔを送信するステップと、
前記ＴＡＵ  Ｒｅｑｕｅｓｔの送信後のデータ受信の確率が前記閾値より高いとき、ＴＡＵ  Ｒｅｑｕｅｓｔに含まれるｅＤＲＸ期間を第２の期間に設定してからＴＡＵ  Ｒｅｑｕｅｓｔを送信するステップと、を含み、
前記第２の期間は前記第１の期間よりも長い無線通信装置の制御方法。
【請求項９】
基地局を含むネットワークと拡張的な間欠受信（ｅＤＲＸ：ｅｘｔｅｎｄｅｄ  Ｄｉｓｃｏｎｔｉｎｕｏｕｓ  Ｒｅｃｅｐｔｉｏｎ）を行う無線通信装置であって、
ＴＡＵ（Ｔｒａｃｋｉｎｇ  Ａｒｅａ  Ｕｐｄａｔｅ）Ｒｅｑｕｅｓｔを送信する通信部と、
前記ＴＡＵ  Ｒｅｑｕｅｓｔの送信処理を行う制御部とを有し、前記制御部は、
前記ＴＡＵ  Ｒｅｑｕｅｓｔの送信の際に送信データがないときであって、
所定の状況の場合、ＴＡＵ  Ｒｅｑｕｅｓｔに含まれるｅＤＲＸ期間を第１の期間に設定してからＴＡＵ  Ｒｅｑｕｅｓｔの送信し、
所定の状況でない場合、ＴＡＵ  Ｒｅｑｕｅｓｔに含まれるｅＤＲＸ期間を第２の期間に設定してからＴＡＵ  Ｒｅｑｕｅｓｔの送信し、
前記第２の期間は前記第１の期間よりも長い無線通信装置。
【請求項１０】
前記所定の状況は、前記ＴＡＵ  Ｒｅｑｕｅｓｔの送信を行った後、データを受信する確率Ｐｒｃｖが低いサービスである請求項９に記載の無線通信装置。
【請求項１１】
前記所定の状況は、前記ＴＡＵ  Ｒｅｑｕｅｓｔの送信を行った後、データを受信しないと想定されるサービスである請求項９に記載の無線通信装置。
【国際調査報告】
2019194252.tif 000008
2019194252.tif 000009